【手続補正書】
【提出日】平成20年6月20日(2008.6.20)
【手続補正１】
【補正対象書類名】特許請求の範囲
【補正対象項目名】全文
【補正方法】変更
【補正の内容】
【特許請求の範囲】
【請求項１】
文書中の任意の単語情報を指定する情報指定システムであって、
前記文書の保存されるサーバ装置と情報指定装置とがネットワークを通じて接続され、
前記情報指定装置には、前記サーバ装置に保存された文書を特定するための識別情報を入力する文書特定手段と、前記単語情報の入力を行う文字入力手段とが設けられ、
前記文字入力手段から部分的に入力される前記単語情報により、前記文書特定手段で特定された文書に含まれる単語情報を検索して、前記指定される単語情報の候補を選出する
ことを特徴とする情報指定システム。
【請求項２】
請求項１記載の情報指定システムにおいて、
前記情報指定装置には、前記選出された候補の単語情報を表示する候補情報表示手段と、前記候補情報表示手段に表示された単語情報の候補から所望の単語情報を選択する候補情報選択手段とがさらに設けられる
ことを特徴とする情報指定システム。
【請求項３】
請求項１記載の情報指定システムにおいて、
前記情報指定装置の文字入力手段には、前記単語情報の入力を行う際の文字種より少ない数のキーを設け、それぞれのキーは複数の前記文字種を代表して入力を行う
ことを特徴とする情報指定システム。
【請求項４】
請求項１〜３のいずれかに記載の情報指定システムにおいて、
前記文書特定手段は、前記文書の表示に付加されたコード情報の表示と、前記コード情報の表示を取得するコード情報取得手段からなる
ことを特徴とする情報指定システム。
【請求項５】
請求項１〜３のいずれかに記載の情報指定システムにおいて、
前記文書特定手段は、前記サーバ装置に保存された文書の管理情報に基づく情報を前記情報指定装置に送信して前記情報の中から選択する
ことを特徴とする情報指定システム。
【請求項６】
請求項１〜５のいずれかに記載の情報指定システムにおいて、
前記文書特定手段で特定された文書に含まれる前記単語情報を並べ替えて辞書情報を形成し、該辞書情報を前記情報指定装置が取得して前記単語情報の候補の選出の処理を行う
ことを特徴とする情報指定システム。
【請求項７】
請求項１〜５のいずれかに記載の情報指定システムにおいて、
前記文書特定手段で特定された文書の全部または一部のテキスト情報を前記情報指定装置が取得して前記単語情報の候補の選出の処理を行う
ことを特徴とする情報指定システム。
【請求項８】
請求項１〜５のいずれかに記載の情報指定システムにおいて、
前記文字入力手段から部分的に入力される前記単語情報を前記サーバ装置に送信して前記単語情報の候補の選出の処理を行い、該選出された候補を前記情報指定装置に返信する
ことを特徴とする情報指定システム。
【請求項９】
請求項１〜８のいずれかに記載の情報指定システムにおいて、
前記指定された単語情報を用いて、該単語情報および／または該単語情報を含む前記文書の任意の範囲を設定し、前記単語情報および／または前記範囲の文書に対して任意のアプリケーションを実行する
ことを特徴とする情報指定システム。
【請求項１０】
文書中の任意の単語情報を指定する情報指定方法であって、
前記文書の保存されるサーバ装置と情報指定装置とをネットワークを通じて接続し、
前記情報指定装置に、前記サーバ装置に保存された文書を特定するための識別情報を入力する文書特定手段と前記単語情報の入力を行う文字入力手段とを設け、
前記文字入力手段から部分的に入力される前記単語情報により、前記文書特定手段で特定された文書に含まれる単語情報を検索して、前記指定される単語情報の候補を選出する
ことを特徴とする情報指定方法。
【請求項１１】
文書中の任意の単語情報を指定する情報指定システムに用いるサーバ装置であって、
前記文書が保存されると共に情報指定装置がネットワークを通じて接続され、
前記情報指定装置からの識別情報に従って前記保存された文書を特定し、
前記情報指定装置から部分的に受信される前記単語情報により前記特定された文書に含まれる単語情報を検索して前記指定される単語情報の候補を選出し、
前記候補の単語情報を前記情報指定装置に送信する
ことを特徴とする情報指定システムに用いるサーバ装置。
【請求項１２】
文書中の任意の単語情報を指定する情報指定システムに用いる情報指定装置であって、
ネットワークを通じて前記文書の保存されるサーバ装置に接続されると共に、前記サーバ装置に保存された文書を特定するための識別情報を入力する文書特定手段と前記単語情報の入力を行う文字入力手段とが設けられ、
前記文字入力手段から部分的に入力される前記単語情報により、前記文書特定手段で特定された文書に含まれる単語情報を検索して、前記指定される単語情報の候補を選出する
ことを特徴とする情報指定システムに用いる情報指定装置。
【請求項１３】
文書の保存されるサーバ装置と情報指定装置とがネットワークを通じて接続されたシステムにおいて前記文書中の任意の単語情報の指定を行う情報指定プログラムであって、
前記情報指定装置の文書特定手段により前記サーバ装置に保存された文書を特定する機能と、
前記情報指定装置の文字入力手段から部分的に入力される前記単語情報により前記文書特定手段で特定された文書に含まれる単語情報を検索して前記指定される単語情報の候補を選出する機能と
を前記サーバ装置または情報指定装置で実現するための情報指定プログラム。
【手続補正２】
【補正対象書類名】明細書
【補正対象項目名】００１９
【補正方法】削除
【補正の内容】
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】変更
【補正の内容】
【００２２】
また、本発明の目的を達成するため、請求項１０に記載された発明は、文書中の任意の単語情報を指定する情報指定方法であって、文書の保存されるサーバ装置と情報指定装置とをネットワークを通じて接続し、情報指定装置に、サーバ装置に保存された文書を特定するための識別情報を入力する文書特定手段と単語情報の入力を行う文字入力手段とを設け、文字入力手段から部分的に入力される単語情報により、文書特定手段で特定された文書に含まれる単語情報を検索して、指定される単語情報の候補を選出することを特徴とする情報指定方法である。
【手続補正６】
【補正対象書類名】明細書
【補正対象項目名】００２３
【補正方法】変更
【補正の内容】
【００２３】
また、本発明の目的を達成するため、請求項１１に記載された発明は、文書中の任意の単語情報を指定する情報指定システムに用いるサーバ装置であって、文書が保存されると共に情報指定装置がネットワークを通じて接続され、情報指定装置からの識別情報に従って保存された文書を特定し、情報指定装置から部分的に受信される単語情報により特定された文書に含まれる単語情報を検索して指定される単語情報の候補を選出し、候補の単語情報を情報指定装置に送信することを特徴とする情報指定システムに用いるサーバ装置である。
【手続補正７】
【補正対象書類名】明細書
【補正対象項目名】００２４
【補正方法】変更
【補正の内容】
【００２４】
また、本発明の目的を達成するため、請求項１２に記載された発明は、文書中の任意の単語情報を指定する情報指定システムに用いる情報指定装置であって、ネットワークを通じて文書の保存されるサーバ装置に接続されると共に、サーバ装置に保存された文書を特定するための識別情報を入力する文書特定手段と単語情報の入力を行う文字入力手段とが設けられ、文字入力手段から部分的に入力される単語情報により、文書特定手段で特定された文書に含まれる単語情報を検索して、指定される単語情報の候補を選出することを特徴とする情報指定システムに用いる情報指定装置である。
【手続補正８】
【補正対象書類名】明細書
【補正対象項目名】００２５
【補正方法】変更
【補正の内容】
【００２５】
また、本発明の目的を達成するため、請求項１３に記載された発明は、文書の保存されるサーバ装置と情報指定装置とがネットワークを通じて接続されたシステムにおいて文書中の任意の単語情報の指定を行う情報指定プログラムであって、情報指定装置の文書特定手段によりサーバ装置に保存された文書を特定する機能と、情報指定装置の文字入力手段から部分的に入力される単語情報により文書特定手段で特定された文書に含まれる単語情報を検索して指定される単語情報の候補を選出する機能とをサーバ装置または情報指定装置で実現するための情報指定プログラムである。